【手続補正書】
【提出日】平成23年6月21日(2011.6.21)
【手続補正１】
【補正対象書類名】特許請求の範囲
【補正対象項目名】全文
【補正方法】変更
【補正の内容】
【特許請求の範囲】
【請求項１】
利用者の生体データを計測し前記生体データを所定の暗号鍵を用いて暗号化する計測装置から前記暗号化された生体データを受信して管理する管理装置に装着される管理装置用カードであって、
前記計測装置から前記計測装置に固有の第１固有情報及び前記計測装置の利用者を識別する識別情報を取得するインターフェース部と、
前記管理装置用カードに固有の第２固有情報を格納している第１格納部と、
前記第１固有情報、前記第２固有情報及び前記識別情報を用いて前記所定の暗号鍵に対応する所定の復号鍵を生成する生成部と、
前記生成された所定の復号鍵を格納する第２格納部と、
前記計測装置から暗号化された生体データを受信し、前記受信した暗号化された生体データを前記格納された所定の復号鍵を用いて復号化し、前記復号化された生体データを取得する制御部と、を具備した
管理装置用カード。
【請求項２】
前記インターフェース部は、前記管理装置用カードが前記計測装置に装着された場合、前記計測装置から前記計測装置に固有の第１固有情報及び前記計測装置の利用者を識別する識別情報を取得することを特徴とする
請求項１記載の管理装置用カード。
【請求項３】
前記制御部は、前記識別情報に基づいて利用者を特定して前記識別情報に対応する生体データを前記計測装置に要求した場合、前記計測装置から前記暗号化された生体データを受信することを特徴とする
請求項１記載の管理装置用カード。
【請求項４】
前記制御部は、前記識別情報に基づいて利用者を特定して前記識別情報に対応する生体データを送信する旨の通知を前記計測装置から受信した場合、前記計測装置から前記暗号化された生体データを受信することを特徴とする
請求項１記載の管理装置用カード。
【請求項５】
前記制御部は、前記管理装置用カードが前記計測装置の所定の範囲内に接近した場合、前記計測装置に前記計測装置の利用者を識別する識別情報を出力し、前記計測装置から前記識別情報に対応する暗号化された生体データを受信することを特徴とする
請求項１記載の管理装置用カード。
【請求項６】
前記制御部は、さらに、前記管理装置に前記復号化された生体データを出力することを特徴とする
請求項１記載の管理装置用カード。
【請求項７】
前記所定の暗号鍵は所定の公開鍵であり、前記所定の復号鍵は前記公開鍵に対応する所定の秘密鍵であり、
前記生成部は、前記第１固有情報、前記第２固有情報及び前記識別情報を用いて前記所定の公開鍵及び前記所定の秘密鍵を生成することを特徴とする
請求項１記載の管理装置用カード。
【請求項８】
本装置の利用者の生体データを計測する計測部と、
本装置に固有の第１固有情報を格納している格納部と、
前記生体データを管理する管理装置に装着される管理装置用カードから前記管理装置用カードに固有の第２固有情報を取得し、前記利用者を識別する識別情報に対応させて前記
第２固有情報を前記格納部に格納し、前記管理装置用カードに前記第１固有情報及び前記利用者を識別する識別情報を出力するインターフェース部と、
前記格納部から前記本装置に固有の第１固有情報、前記管理装置用カードに固有の第２固有情報及び所定の利用者を識別する識別情報を取得し、前記第１固有情報、前記第２固有情報及び前記識別情報に基づいて所定の暗号鍵を生成し、前記所定の利用者に対応する生体データを取得し、前記所定の暗号鍵を用いて前記所定の利用者の生体データを暗号化して前記管理装置用カードに送信する制御部と、を具備した
計測装置。
【請求項９】
さらに、前記計測装置に装着される計測装置用カードを設け、
前記計測装置用カードは、
前記格納部から前記本装置に固有の第１固有情報、前記管理装置用カードに固有の第２固有情報及び前記所定の利用者を識別する識別情報を取得し、前記第１固有情報、前記第２固有情報及び前記識別情報に基づいて所定の暗号鍵を生成し、前記所定の利用者に対応する生体データを取得し、前記所定の暗号鍵を用いて前記所定の利用者の生体データを暗号化して前記管理装置用カードに送信する前記制御部を有することを特徴とする
請求項８記載の計測装置。
【請求項１０】
さらに、本装置の利用者の中の所定の利用者を指定する指示部を設け、
前記制御部は、前記指示部から前記所定の利用者の指定を受けると、前記第１固有情報、前記第２固有情報及び前記所定の利用者を識別する識別情報に基づいて生成された所定の暗号鍵を用いて、前記所定の利用者に対応する生体データを暗号化することを特徴とする
請求項８記載の計測装置。
【請求項１１】
前記インターフェース部は、前記管理装置用カードが前記計測装置に装着された場合、前記計測装置に固有の第１固有情報及び前記計測装置の利用者を識別する識別情報を前記管理装置用カードに出力することを特徴とする
請求項８記載の計測装置。
【請求項１２】
前記制御部は、前記識別情報に基づいて利用者を特定して前記識別情報に対応する生体データを前記管理装置用カードが前記計測装置に要求した場合、前記暗号化された生体データを前記管理装置用カードに送信することを特徴とする
請求項８記載の計測装置。
【請求項１３】
前記制御部は、前記識別情報に基づいて利用者を特定して前記識別情報に対応する生体データを送信する旨の通知を前記管理装置用カードに送信し、前記暗号化された生体データを前記管理装置用カードに送信することを特徴とする
請求項８記載の計測装置。
【請求項１４】
前記制御部は、前記管理装置用カードが前記計測装置の所定の範囲内に接近した場合、前記管理装置用カードから前記計測装置の利用者を識別する識別情報を入力し、前記計測装置から前記識別情報に対応する暗号化した生体データを送信することを特徴とする
請求項８記載の計測装置。
【請求項１５】
生体データを計測する計測装置と、この計測装置に装着され且つ前記生体データを管理する管理装置に装着される管理装置用カードに前記生体データを送信する通信機能を有した計測装置用カードと、を含むヘルスケアシステムであって、
前記計測装置は、
前記計測装置の利用者の生体データを計測する計測部と、
本装置に固有の第１固有情報を格納している格納部と、
前記管理装置用カードに固有の第２固有情報を前記管理装置用カードから取得し、前記利用者を識別する識別情報に対応させて前記第２固有情報を前記格納部に格納し、前記管理装置用カードに前記第１固有情報及び前記識別情報を出力するインターフェース部と、を具備し、
前記計測装置用カードは、
所定の利用者に対応する生体データを前記管理装置用カードに送信する場合、前記計測装置から前記計測装置に固有の第１固有情報、前記管理装置用カードに固有の第２固有情報及び前記所定の利用者を識別する識別情報を取得し、前記第１固有情報、前記第２固有情報及び前記識別情報に基づいて所定の暗号鍵を生成し、前記所定の利用者に対応する生体データを取得し、前記所定の暗号鍵を用いて前記所定の利用者の生体データを暗号化して前記管理装置用カードに送信する制御部と、を具備したことを特徴とする
ヘルスケアシステム。
【請求項１６】
生体データを計測する計測装置と、前記生体データを管理する管理装置と、通信機能を有し前記計測装置に装着され前記生体データを前記管理装置に送信する計測装置用カードと、通信機能を有し前記管理装置に装着され前記生体データを受信し前記管理装置に格納する管理装置用カードと、を含むヘルスケアシステムであって、
前記管理装置用カードは、
前記計測装置から前記計測装置に固有の第１固有情報及び前記計測装置の利用者を識別する識別情報を取得する第１インターフェース部と、
前記管理装置用カードに固有の第２固有情報を格納している第１格納部と、
前記第１固有情報、前記第２固有情報及び前記識別情報を用いて所定の復号鍵を予め生成する第１制御部と、
前記予め生成された所定の復号鍵を格納する第２格納部と、を具備し、
前記計測装置は、
前記計測装置の利用者の生体データを計測する計測部と、
前記計測装置に固有の第１固有情報を格納している第３格納部と、
前記管理装置用カードに固有の第２固有情報を前記管理装置用カードから取得し、前記管理装置用カードに前記第１固有情報及び前記識別情報を出力する第２インターフェース部と、を具備し、
前記計測装置用カードは、
前記計測装置に装着された状態で、所定の利用者に対応する生体データを前記管理装置用カードに送信する場合、前記計測装置から前記第１固有情報、前記第２固有情報及び前記識別情報を取得し、前記第１固有情報、前記第２固有情報及び前記識別情報に基づいて前記所定の復号鍵に対応する所定の暗号鍵を生成し、前記計測装置から前記所定の利用者に対応する生体データを取得し、前記所定の暗号鍵を用いて前記所定の利用者の生体データを暗号化して前記管理装置用カードに送信する第２制御部と、を具備し、
前記管理装置用カードの第１制御部は、前記計測装置用カードから暗号化された生体データを受信した場合、前記第２格納部に格納された所定の復号鍵を用いて生体データを復号化して前記管理装置に出力することを特徴とする
ヘルスケアシステム。
【請求項１７】
前記計測装置は、さらに、
予め定められた複数の利用者の中のいずれの利用者が前記計測装置を利用しているかを識別する識別手段を有し、
前記第２インターフェース部は、
前記管理装置用カードが前記第２インターフェース部に装着された場合、前記識別手段によって識別された利用者の識別情報を前記管理装置用カードに出力し、一方、前記計測
装置用カードが前記第２インターフェース部に装着された場合、前記識別手段によって識別された利用者の生体データを前記計測装置用カードに出力することを特徴とする
請求項１６記載のヘルスケアシステム。
【請求項１８】
前記識別手段は、前記計測装置に設けられたボタンであることを特徴とする
請求項１７記載のヘルスケアシステム。
【請求項１９】
生体データを計測する計測装置と、前記生体データを管理する管理装置と、通信機能を有し前記計測装置に装着され前記生体データを前記管理装置に送信する計測装置用カードと、通信機能を有し前記管理装置に装着され前記生体データを受信し前記管理装置に格納する管理装置用カードと、を含むヘルスケアシステムであって、
前記管理装置用カードは、
前記計測装置から前記計測装置に固有の第１固有情報及び前記計測装置の利用者を識別する識別情報を取得する第１インターフェース部と、
前記管理装置用カードに固有の第２固有情報を格納している第１格納部と、
前記第１固有情報、前記第２固有情報及び前記識別情報を用いて所定の公開鍵及び所定の秘密鍵を予め生成する第１制御部と、
前記予め生成された所定の秘密鍵を格納する第２格納部と、を具備し、
前記計測装置は、
前記計測装置の利用者の生体データを計測する計測部と、
前記計測装置に固有の第１固有情報を格納している第３格納部と、
前記管理装置用カードに前記第１固有情報及び前記識別情報を出力し、前記管理装置用カードにて前記出力した第１固有情報及び識別情報を用いて生成された前記所定の公開鍵を取得する第２インターフェース部と、を具備し、
前記計測装置用カードは、
前記計測装置に装着された状態で、所定の利用者に対応する生体データを前記管理装置用カードに送信する場合、前記計測装置から前記所定の公開鍵及び前記所定の利用者に対応する生体データを取得し、前記所定の公開鍵を用いて前記所定の利用者の生体データを暗号化して前記管理装置用カードに送信する第２制御部と、を具備し、
前記管理装置用カードの第１制御部は、前記計測装置用カードから暗号化された生体データを受信した場合、前記第２格納部に格納された所定の秘密鍵を用いて生体データを復号化して前記管理装置に格納することを特徴とする
ヘルスケアシステム。
【請求項２０】
生体データを計測する計測装置と、前記生体データを管理する管理装置と、通信機能を有し前記計測装置に装着され前記生体データを前記管理装置に送信する計測装置用カードと、通信機能を有し前記管理装置に装着され前記生体データを受信し前記管理装置に格納する管理装置用カードと、を含むヘルスケアシステムにおける生体データの通信方法であって、
前記管理装置用カードにおいて、
前記計測装置から前記計測装置に固有の第２固有情報及び前記計測装置の利用者を識別する識別情報を取得し、
前記管理装置用カードに固有の第１固有情報、前記第２固有情報及び前記識別情報を用いて所定の復号鍵を予め生成し、
前記計測装置において、
前記計測装置の利用者の生体データを計測し、
前記管理装置用カードに固有の第２固有情報を前記管理装置用カードから取得すると共に前記管理装置用カードへ前記計測装置に固有の第１固有情報及び前記利用者を識別する識別情報を出力し、
前記計測装置用カードにおいて、
前記計測装置用カードが前記計測装置に装着された状態で、所定の利用者に対応する生体データを前記管理装置用カードに送信する場合、前記計測装置から前記所定の利用者に対応する生体データを取得すると共に、前記第１固有情報及び前記第２固有情報を取得し、
前記第１固有情報、前記第２固有情報及び前記識別情報に基づいて前記所定の復号鍵に対応する所定の暗号鍵を生成し、
前記所定の暗号鍵を用いて前記所定の利用者の生体データを暗号化し、
前記暗号化された生体データを前記管理装置用カードに送信し、
前記管理装置用カードにおいて、
前記計測装置用カードから暗号化された生体データを受信した場合、前記予め生成された所定の復号鍵を用いて生体データを復号化して前記管理装置に格納することを特徴とする
生体データの通信方法。
【請求項２１】
生体データを計測する計測装置と、前記生体データを管理する管理装置と、通信機能を有し前記計測装置に装着され前記生体データを前記管理装置に送信する計測装置用カードと、通信機能を有し前記管理装置に装着され前記生体データを受信し前記管理装置に格納する管理装置用カードと、を含むヘルスケアシステムにおける生体データの通信方法であって、
前記管理装置用カードにおいて、
前記計測装置から前記計測装置に固有の第２固有情報及び前記計測装置の利用者を識別する識別情報を取得し、
前記管理装置用カードに固有の第１固有情報、前記第２固有情報及び前記識別情報を用いて所定の公開鍵及び所定の秘密鍵を予め生成し、
前記計測装置において、
前記計測装置の利用者の生体データを計測し、
前記管理装置用カードへ前記計測装置に固有の第１固有情報及び前記識別情報を出力し、
前記管理装置用カードにて前記出力した第１固有情報及び識別情報を用いて生成された前記所定の公開鍵を前記管理装置用カードから取得し、
前記計測装置用カードにおいて、
前記計測装置用カードが前記計測装置に装着された状態で、所定の利用者に対応する生体データを前記管理装置用カードに送信する場合、前記計測装置から前記所定の公開鍵及び前記所定の利用者に対応する生体データを取得し、
前記所定の公開鍵を用いて前記所定の利用者の生体データを暗号化し、
前記暗号化された生体データを前記管理装置用カードに送信し、
前記管理装置用カードにおいて、
前記計測装置用カードから暗号化された生体データを受信した場合、前記予め生成された所定の秘密鍵を用いて生体データを復号化して前記管理装置に格納することを特徴とする
生体データの通信方法。
【手続補正２】
【補正対象書類名】明細書
【補正対象項目名】０１３９
【補正方法】変更
【補正の内容】
【０１３９】
まず、カードｉ／ｆ部１０２３は、管理機器用カードＩＤと計測機器ＩＤとボタン番号とを計測機器１０１から受信する（ステップＳ９０１）。続いて、鍵計算部１０２２は、当該計測機器ＩＤと当該ボタン番号とが初めて受信された情報であるか否かを判定する（ステップＳ９０２）。具体的には、鍵計算部１０２２は、鍵記録部１０２８に格納された管理機器情報テーブル１０２８ａを参照することにより、受信された計測機器ＩＤとボタン番号とに対応する共有鍵が存在しない場合に、初めて受信された情報であると判定する。ここで、初めて受信された情報でない場合（ステップＳ９０２のＮ）、ステップＳ９０５の処理に進む。一方、初めて受信された情報である場合（ステップＳ９０２のＹ）、鍵計算部１０２２は、ステップＳ９０１において受信された管理機器用カードＩＤと計測機器ＩＤとボタン番号とを用いてｆ関数を計算することにより、共有鍵Ｋ＿ａを生成する（ステップＳ９０３）。続いて、鍵記録部１０２８は、管理機器用カードＩＤ、計測機器ＩＤ及びボタン番号とともに、共有鍵Ｋ＿ａを管理機器情報テーブル１０２８ａに格納する（ステップＳ９０４）。続いて、カードｉ／ｆ部１０２３は、計測値を計測機器１０１から受信する（ステップＳ９０５）。続いて、暗号部１０２６は、管理機器情報テーブル１０２８ａを参照することにより、受信された計測値に対応する共有鍵Ｋ＿ａを選択する（ステップＳ９０６）。続いて、暗号部１０２６は、選択された共有鍵Ｋ＿ａを用いて、計測値を暗号化する。そして、計測値記録部１０２５は、計測機器ＩＤ及びボタン番号に対応づけて、暗号化された計測値を計測値テーブル１０２５ａに格納する（ステップＳ９０７）。
【手続補正３】
【補正対象書類名】図面
【補正対象項目名】図８
【補正方法】変更
【補正の内容】
【図８】
2009111975.tif 000001
【手続補正４】
【補正対象書類名】図面
【補正対象項目名】図９
【補正方法】変更
【補正の内容】
【図９】
2009111975.tif 000002
【手続補正５】
【補正対象書類名】図面
【補正対象項目名】図１８
【補正方法】変更
【補正の内容】
【図１８】
2009111975.tif 000003
【手続補正６】
【補正対象書類名】図面
【補正対象項目名】図２５
【補正方法】変更
【補正の内容】
【図２５】
2009111975.tif 000004
【手続補正７】
【補正対象書類名】図面
【補正対象項目名】図２７
【補正方法】変更
【補正の内容】
【図２７】
2009111975.tif 000005
【手続補正８】
【補正対象書類名】図面
【補正対象項目名】図２９
【補正方法】変更
【補正の内容】
【図２９】
2009111975.tif 000006